(57)【特許請求の範囲】
【請求項１】
木材搬入口（２）に開閉自在な扉（３）を設けた乾燥室（１）の床面に内レール（４）が敷設され、該乾燥室（１）の外部に上記内レール（４）の延長方向に外レール（５）が敷設された木材乾燥装置において、上記木材搬入口（２）の開口部周縁の底辺部を床面から上記内、外レール（４，５）の上方まで突出して立上り部（２０）を形成し、該立上り部（２０）に上記内、外レール（４，５）と対応する位置にプレート溝（２２）を設け、該プレート溝（２２）に密閉プレート（２３）を着脱自在に設けたことを特徴とする木材乾燥装置における木材搬入口の扉密閉構造。
【請求項２】
プレート溝（２２）は、木材搬入口（２）の立上り部（２０）に内、外レール（４，５）と対応する位置に設けた一対のＵ字溝（２１）の外レール（５）側に当該Ｕ字溝（２１）よりも大に形成したことを特徴とする請求項１に記載の木材乾燥装置における木材搬入口の扉密閉構造。
【請求項３】
プレート溝（２２）は、正面に溝形状に沿ったパッキン（２４）が設けられていることを特徴とする請求項１に記載の木材乾燥装置における木材搬入口の扉密閉構造。
【請求項４】
プレート溝（２２）は、立上り部（２０）の溝の裏側にマグネット（２６）を埋め込んだものであることを特徴とする請求項１に記載の木材乾燥装置における木材搬入口の扉密閉構造。
【発明の詳細な説明】
【０００１】
【発明の属する技術分野】
本発明は、木材乾燥装置における木材搬入口の扉密閉構造に関するものである。
【０００２】
【従来の技術】
木材の人工乾燥は、蒸気式などの乾燥方法により乾燥室内に木材を桟積みに収容して行われる。
【０００３】
図６は従来技術による木材乾燥装置を示しており、乾燥室の内外にレールが敷設されており、木材は車輪付きの台車に桟積みされて乾燥室内に搬入されるようになっている。又、乾燥室には台車を出入させると共に室内を気密に保つための扉が設けられており、乾燥作業の運転時には入口を扉で密閉する構造となっている。一方、扉の下端部分は乾燥室の内外レール面より下方に位置する乾燥室入口の開口周縁部下辺の扉を受け枠に当接する構造となっているため、扉下端部が乾燥室外の外レールに当接して扉を開閉することができない。
【０００４】
そこで、従来技術においては、扉を蝶番軸に沿って上下動可能にしておき、扉を開くときは、いったん油圧ジャッキなどを利用して扉を上方に押し上げ、扉の下端部を外レールの上方まで上昇させてから扉を開き、又、扉を閉めるときは扉をジャッキなどにより下降して、扉と扉受け枠とを一致させてから締め金具により扉を締め付けて密閉している。
【０００５】
しかしながら、ジャッキなどによる扉の上下動操作は扉を開閉するごとに手作業で行わなければならないので煩雑かつ非能率的であるばかりでなく、扉が上下動する際に締め金具が扉と接触して損傷し、あるいは又、重い扉の不安定な上下移動開閉によって蝶番部にねじれ、ゆがみ等が生じたりすることで扉が充分に密閉されない事態が生ずるなど、従来技術による扉構造には改善されなければならない問題があった。
【０００６】
【発明が解決しようとする課題】
本発明の課題は、乾燥室入口の扉を開閉するときに、扉が乾燥室の外部に敷設した外レールに当接せずに開閉でき、しかも扉を閉じたときは乾燥室内を気密に保つことができるようにした木材乾燥装置における木材搬入口の扉密閉構造を提供することである。
【０００７】
【課題を解決するための手段】
解決手段は、木材搬入口に開閉自在な扉を設けた乾燥室の床面に内レールが敷設され、該乾燥室の外部に上記内レールの延長方向に外レールが敷設された木材乾燥装置において、上記木材搬入口の開口部周縁の底辺部を床面から上記内、外レールの上方まで突出して立上り部を形成し、該立上り部に上記内、外レールと対応する位置にプレート溝を設け、該プレート溝に密閉プレートを着脱自在に設けたことを特徴とする。
【０００８】
又、プレート溝は、木材搬入口の立上り部に内、外レールと対応する位置に設けた一対のＵ字溝の外レール側に当該Ｕ字溝よりも大に形成したことを特徴とする。
【０００９】
さらに又、プレート溝は、正面に溝形状に沿ったパッキンが設けられていることを特徴とする。
【００１０】
この他、プレート溝は、立上り部の溝の裏側にマグネットを埋め込んだものであることを特徴とする。
【００１１】
【発明の実施の形態】
図１は、本発明に係る乾燥室の概略を示している。乾燥室１は正面に木材搬入口２が設けられており、該木材搬入口２を閉塞する扉３が図示しない蝶番により開閉自在に取り付けられている。なお、扉３は閉めた時にこれも図示しない締め金具によって乾燥室１に固定できるようになっている。又、乾燥室１の室内床面には内レール４が敷設されていると共に、乾燥室１の外部には該内レール４の延長方向でかつ同一高さの外レール５が敷設されている。但し、内レール４と外レール５は乾燥室１の木材搬入口２の部分で分断されている。
【００１２】
図中、６は車輪７を有する台車で、内、外レール４，５上を木材８を桟積みして走行できるようになっている。
【００１３】
上記乾燥室１並びに外レール５は、コンクリートなどによって構築された基板１０の上面に設置されており、又、木材搬入口２の前面には排水溝１１が設けられている。
【００１４】
図２から図５は、本発明に係る扉密閉構造の詳細を示している。乾燥室１の木材搬入口２は、開口部の全周縁部が扉３の受け枠としての幅を有する額縁形状を呈している。又、木材搬入口２が形成する額縁形状のうち開口底辺部となる立上り部２０は、内レール４及び外レール５の走行面よりも高く立ち上げており、一方、扉３は開閉時に扉下端部３Ａが外レール５と接触しない高さに位置して取り付けられている。
【００１５】
上記立上り部２０には、内レール４及び外レール５と対応する位置に一対のＵ字溝２１を設けると共に、該Ｕ字溝２１の外レール５側に位置して当該Ｕ字溝２１よりも大に形成したプレート溝２２を設けている。２３はプレート溝２２に上方から嵌合する密閉プレートであり、嵌合時にＵ字溝２１を塞いで乾燥室１内を密閉するものである。なお、プレート溝２２の正面には溝形状に沿ってパッキン２４が貼着されており、密閉プレート２３を嵌合した時に乾燥室１内の密閉効果を高めるようにしている。
【００１６】
台車６が木材搬入口２から出入する時は、密閉プレート２３を外した状態にしてレール４，５上を走行させるので、内レール４及び外レール５は密閉プレート２３の着脱に支障ない範囲で可及的に近づけて敷設する。すなわち、内レール４の端部はＵ字溝２１に達するまで敷設し、又、外レール５の端部は木材搬入口２の立上り部２０の直前まで敷設する。なお、上記基板１０が、乾燥室１を設置した面よりも、外レール５を敷設した面が低くなっているので、外レール５の端部（木材搬入口２に対応する部分）には、下面に受け台２５を設けている。但し、受け台２５に代えてコンクリートを盛り上げて台を形成してもよい。
【００１７】
上記の密閉プレート２３は、プレート溝２２に嵌合させるものであるが、同時に内レール４及び外レール５が形成する隙間に装着されるので、装着時に倒れたりして当該プレート溝２２から脱落することはないが、プレート溝２２に密着しやすくするために、立上り部２０の溝の裏側に複数個のマグネット２６を埋め込んでおくとよい（図５）。
【００１８】
さらに別の実施例として、密閉プレート２３自体を磁気を帯びた材質とするものでもよいが、この場合は、立上り部２０などの枠部が磁気に反応する材質でなければならない。又、密閉プレート２３は適度に薄いことが望ましい。なぜなら台車６の車輪７は外径が小さい場合は密閉プレート２３を外した時に内、外レール４，５の隙間が大きいと車輪７がスムーズに走行できないからである。
【００１９】
図中、３０は扉３の内側全周縁部に設けたパッキンである。
【００２０】
実施例は上記の構成であり、木材搬入口２から台車６を出入するには、密閉プレート２３を外し、内レール４及び外レール５上を走行させて乾燥室１内に木材８を桟積みして搬入または搬出をする。
【００２１】
次に、木材搬入口２を閉塞するには、立上り部２０に形成したプレート溝２２に密閉プレート２３を嵌合し、しかる後に扉３を閉める。扉３は周縁部にパッキン３０が設けてあり、又、プレート溝２２には溝形状に沿うパッキン２４が設けてあるから、扉３を木材搬入口２に対して圧着固定すれば、上記パッキン３０及び２４のパッキン効果によって乾燥室１の室内を気密に保持することができる。
【００２２】
【発明の効果】
本発明は、木材搬入口の開口周縁部の底辺部に形成された立上り部に台車走行用の溝を設けると共に、該溝を閉塞する密閉プレートを着脱自在に設けたものであるから、扉閉塞時は上記密閉プレートを上記溝に装着することで乾燥室内を気密に保持することができ、これにより木材搬入口の開閉作業と台車の搬入作業が簡略化、迅速化される効果がある。
【図面の簡単な説明】
【図１】本発明の乾燥装置を示す概略断面図で、Ａは台車搬入時、Ｂは乾燥時。
【図２】乾燥室の木材搬入口を示し、Ａは斜視図、Ｂは正面図。
【図３】密閉プレートを装着した状態を示し、Ａは平面図、Ｂは断面図。
【図４】木材搬入口の詳細を示し、Ａは密閉プレートを装着する状態の斜視図、Ｂは密閉プレートを取り外した状態の斜視図。
【図５】密閉プレート装着状態を示す断面図。
【図６】乾燥装置の従来技術を示す概略図。
【符号の説明】
１  乾燥室
２  木材搬入口
３  扉
４  内レール
５  外レール
６  台車
７  車輪
８  木材
１０  基板
１１  排水溝
２０  立上り部
２１  Ｕ字溝
２２  プレート溝
２３  密閉プレート
２４  パッキン
２５  受け台
２６  マグネット
３０  パッキン
【図１】
0003831494.tif 000002
【図２】
0003831494.tif 000003
【図３】
0003831494.tif 000004
【図４】
0003831494.tif 000005
【図５】
0003831494.tif 000006
【図６】
0003831494.tif 000007